【事件の表示】
　特願２００９−５１６３３３「ブリスター包装体、ブリスター包装体製造装置及びブリスター包装体製造方法」拒絶査定不服審判事件〔平成２０年１２月　４日国際公開、ＷＯ２００８／１４６８３６、請求項の数（９）〕について、次のとおり審決する。
【結　論】
　原査定を取り消す。
　本願の発明は、特許すべきものとする。
【理　由】
第１　手続の経緯
　本願は、２００８年５月２８日（優先権主張２００７年６月１日、日本国）を国際出願日とする出願であって、平成２５年３月１１日付けで拒絶査定がされ、これに対し、平成２５年６月１８日に拒絶査定不服審判の請求がされ、同時に手続補正がされたものである。
　そして、当審において、平成２５年８月２３日付けで審査官により作成された前置報告書について、平成２５年９月２５日付けで審尋を行ったところ、審判請求人からは何らの回答もされなかったものである。
　
　
第２　平成２５年６月１８日付けの手続補正（以下、「本件補正」という。）の適否
１．補正の内容
　本件補正により、特許請求の範囲は以下のとおり補正された。 
（１）補正前 
「　【請求項１】
　薬剤を収納する凸部を複数有する容器フィルム、
　前記容器フィルムの凸部内に薬剤を封入するように前記容器フィルムに貼り付けられた蓋フィルム、
　前記容器フィルムにおける前記蓋フィルムが貼り付けられた面に対する反対側の面に感圧型の接着剤によって貼り付けられ、前記容器フィルムの凸部を表出させる開口を有する容器用ラベル、及び
　前記蓋フィルムにおける前記容器フィルムが貼り付けられた面に対する反対側の面に感圧型の接着剤によって貼り付けられ、前記蓋フィルムに対して剥離可能に構成された蓋用ラベルを有するブリスター包装体であって、
　前記ブリスター包装体には一回に服用すべき薬剤が封入された包装体毎に区分けして分割可能なミシン目が形成されており、前記蓋用ラベルには区分けされた領域毎に当該薬剤に関する情報が表記されたブリスター包装体。
　　【請求項２】
　再接着可能である蓋用ラベルを有する請求項１に記載のブリスター包装体。
　　【請求項３】
　前記蓋用ラベルが使用単位毎に剥離可能に構成されたラベルを有する請求項１に記載のブリスター包装体。
　　【請求項４】
　前記蓋用ラベルが第１の層ラベルと第２の層ラベルによる積層体により構成され、前記第１の層ラベルが前記第２の層ラベルと剥離可能に構成され、前記蓋フィルムに貼り付けられた前記第２の層ラベルが前記容器フィルムの凸部に対向する位置に前記内容物を取り出すための開口を有する請求項１に記載のブリスター包装体。
　　【請求項５】
　再接着可能である第１の層ラベルを有する請求項４に記載のブリスター包装体。
　　【請求項６】
　前記第１の層ラベルが使用単位毎に剥離可能に構成されたラベルを有する請求項４に記載のブリスター包装体。
　　【請求項７】
　前記容器用ラベル及び前記蓋用ラベルの少なくとも一方のラベルに前記内容物に関する情報を表示する機能を有する請求項１または４に記載のブリスター包装体。
　　【請求項８】
　前記容器用ラベル及び前記蓋用ラベルの少なくとも一方のラベルに書き込み領域を有する請求項１または４に記載のブリスター包装体。
　　【請求項９】
　前記容器用ラベル及び前記蓋用ラベルの少なくとも一方のラベルに前記内容物の使用単位毎に使用日を表示する表示領域を有する請求項１または４に記載のブリスター包装体。
　　【請求項１０】
　前記容器用ラベルの開口及び前記第２の層ラベルの開口が、前記内容物の使用単位を示す領域に含まれるよう配置され、使用単位毎に使用日を表示する表示領域を有する請求項１または４に記載のブリスター包装体。
　　【請求項１１】
　前記容器用ラベル及び前記蓋用ラベルの少なくとも一方のラベルに前記内容物の使用単位毎の表示領域が色分け表示された請求項９または１０に記載のブリスター包装体。
　　【請求項１２】
　前記容器用ラベル又は蓋用ラベルにＩＣチップが埋設された請求項１乃至１１のいずれか一項に記載のブリスター包装体。
　　【請求項１３】
　請求項１乃至１２のいずれか一項に記載のブリスター包装体がプレススルー包装体であるブリスター包装体。
　　【請求項１４】
　凸部に内容物を封入した請求項１乃至１３のいずれか一項に記載のブリスター包装体。
　　【請求項１５】
　内容物が薬剤である請求項１４に記載のブリスター包装体。
　　【請求項１６】
　請求項１乃至１５のいずれか一項に記載のブリスター包装体を製造するためのブリスター包装体製造装置であって、
　容器フィルムの凸部内に収納された薬剤を蓋フィルムの貼り付けにより前記凸部内に封入する機構、
　感圧型の接着剤が塗布されている容器用ラベルを前記容器フィルムに貼り付ける容器用ラベル貼り付け機構および
　感圧型の接着剤が塗布されている蓋用ラベルを前記蓋フィルムに貼り付ける蓋用ラベル貼り付け機構が設けられ、
　当該ブリスター包装体製造装置により製造された前記ブリスター包装体には、一回に服用すべき薬剤が封入された包装体毎に区分けするミシン目が形成され、前記蓋用ラベルには区分けされた領域毎に当該薬剤に関する情報が表記されるブリスター包装体製造装置。
　　【請求項１７】
　請求項１乃至１５のいずれか一項に記載のブリスター包装体を製造するためのブリスター包装体製造方法であって、
　容器フィルムの凸部内に収納された薬剤を蓋フィルムの貼り付けにより前記凸部内に封入する工程、
　感圧型の接着剤が塗布されている容器用ラベルを前記容器フィルムに貼り付ける容器用ラベル貼り付け工程および
　感圧型の接着剤が塗布されている蓋用ラベルを前記蓋フィルムに貼り付ける蓋用ラベル貼り付け工程を有し、
　当該ブリスター包装体製造方法により製造された前記ブリスター包装体には、一回に服用すべき薬剤が封入された包装体毎に区分けするミシン目が形成され、前記蓋用ラベルには区分けされた領域毎に当該薬剤に関する情報が表記されるブリスター包装体製造方法。」
   
（２）補正後 
「　【請求項１】
　薬剤を収納する凸部を複数有する容器フィルム、
　前記容器フィルムの凸部内に薬剤を封入するように前記容器フィルムに貼り付けられた蓋フィルム、
　前記容器フィルムにおける前記蓋フィルムが貼り付けられた面に対する反対側の面に感圧型の接着剤によって貼り付けられ、前記容器フィルムの凸部を表出させる開口を有する容器用ラベル、及び
　前記蓋フィルムにおける前記容器フィルムが貼り付けられた面に対する反対側の面に感圧型の接着剤によって貼り付けられ、前記蓋フィルムに対して剥離可能
であり再接着可能
　前記ブリスター包装体には一回に服用すべき薬剤が封入された包装体毎に区分けして
使用単位毎に
、前記蓋用ラベルが使用単位毎に剥離可能に構成された
　　【請求項２】
　前記容器用ラベル及び前記蓋用ラベルの少なくとも一方のラベルに書き込み領域を有する
請求項１
　　【請求項３】
　前記容器用ラベル及び前記蓋用ラベルの少なくとも一方のラベルに
前記薬剤
請求項１
　　【請求項４】
　前記容器用ラベルの開口
が、前記薬剤
請求項１
　　【請求項５】
　前記容器用ラベル及び前記蓋用ラベルの少なくとも一方のラベルに前記薬剤の使用単位毎の表示領域が色分け表示された
請求項３または４
　　【請求項６】
　前記容器用ラベル又は蓋用ラベルにＩＣチップが埋設された
請求項１乃至５
　　【請求項７】
　
請求項１乃至６
　　【請求項８】
　
請求項１乃至７
　容器フィルムの凸部内に収納された薬剤を蓋フィルムの貼り付けにより前記凸部内に封入する機構、
　感圧型の接着剤が塗布されている容器用ラベルを前記容器フィルムに貼り付ける容器用ラベル貼り付け機構および
　感圧型の接着剤
で再接着可能な接着剤
　当該ブリスター包装体製造装置により製造された前記ブリスター包装体には、一回に服用すべき薬剤が封入された包装体毎に区分けする
使用単位毎に
使用単位毎に
、前記蓋用ラベルが使用単位毎に剥離可能で再接着可能となるよう製造される
　　【請求項９】
　
請求項１乃至７
　容器フィルムの凸部内に収納された薬剤を蓋フィルムの貼り付けにより前記凸部内に封入する工程、
　感圧型の接着剤が塗布されている容器用ラベルを前記容器フィルムに貼り付ける容器用ラベル貼り付け工程および
　感圧型の接着剤
で再接着可能な接着剤
　当該ブリスター包装体製造方法により製造された前記ブリスター包装体には、一回に服用すべき薬剤が封入された包装体毎に区分けする
使用単位毎に
使用単位毎に
、前記蓋用ラベルが使用単位毎に剥離可能で再接着可能となるよう製造される
   
２．補正の適否 
　本件補正は、補正前の【請求項１】において、発明を特定するために必要な事項である「蓋用ラベル」について「再接着可能」という限定を追加するとともに、「蓋用ラベル」を蓋フィルムに対して剥離すること、及び、ブリスター包装体を「ミシン目」によって分割することが、それぞれ「使用単位毎に」可能であることを限定し、補正前の【請求項１６】〜【請求項１７】において、【請求項１】と同様の限定、及び、「前記蓋用ラベルが使用単位毎に剥離可能で再接着可能となるよう製造される」限定を追加し、補正前の【請求項２】〜【請求項７】、【請求項１４】〜【請求項１５】を削除し、補正前の【請求項８】〜【請求項１３】、【請求項１６】〜【請求項１７】を補正後の【請求項２】〜【請求項９】に繰り上げ、これに対応する明細書の箇所を補正したものであって(平成２５年７月２２日付け手続補正書の【請求の理由】３．（１）参照)、補正前の請求項１−１７に記載された発明と補正後の請求項１−９に記載された発明の産業上の利用分野及び解決しようとする課題が同一である。 
　したがって、本件補正の特許請求の範囲の請求項１−１７についての補正は特許法第１７条の２第５項第２号に規定する特許請求の範囲の限定的減縮、及び、第１号に規定する請求項の削除を目的とするものに該当する。 
　また、特許法第１７条の２第３項、第４項に違反するところはない。
　そこで、本件補正後の前記請求項１に記載された発明（以下、「補正発明」という。）が特許法第１７条の２第６項において準用する同法第１２６条第７項の規定に適合するか（特許出願の際独立して特許を受けることができるものであるか）について以下に検討する。
　
（１）刊行物の記載事項
　これに対して、原査定の拒絶の理由、及び、審尋で引用した特開２００５−２１１５７８号公報（以下「刊行物１」という。）には、図面とともに、ＰＴＰシート、その製造方法及びＰＴＰ包装機に関して、下記の事項が記載されている。
「【０００２】
　一般に、ＰＴＰシート（いわゆるブリスタシート）は、錠剤等の被収容物が投入されるポケット部が形成された包装用フィルム部材と、その包装用フィルムにポケット部の開口側を密封するように前記包装用フィルム部材に貼付されるカバーフィルム部材とから構成されている。
【０００３】
　錠剤が医薬品等の場合には、錠剤の種類によって服用間隔が定められている。ところが、錠剤の服用者にとっては、服用したかどうかの記憶が曖昧になってしまい、誤飲や飲み忘れのおそれがある。
【０００４】
　そこで、図７（ａ）に示すように、ポケット部５１を縦横複数列のマトリックス状に配置し、横列に合わせて日付Ｄ、縦列に合わせて時間帯Ｐが印刷されてなるＰＴＰシート５２（特許文献１参照。）や、図７（ｂ）に示すように、１つのポケット部５３に対して、１つの情報Ｗとしての曜日と時間帯とがそのポケット部５３の近傍に印刷されてなるＰＴＰシート５４等が、考案されている。
【０００５】
　前記ＰＴＰシート５２，５４を製造する際には、まず、予め帯状のカバーフィルムの包装用フィルム貼着面側に所定間隔で印刷を施しておく。そして、帯状の包装用フィルムにポケット部が形成され、該ポケット部の位置に合わせて、上記のカバーフィルムが貼付される。最後に、シート状に打ち抜かれることで、ＰＴＰシート５２，５４が完成させられる。
【特許文献１】特開平１０−２４３９８９号公報」
　また、【図７】（ｂ）より、包装用フィルム部材にはポケット部５３が複数形成されており、ＰＴＰシート５４にはポケット部５３毎に区分けして使用単位毎に破線が形成されていることが、みてとれる。
　そうすると、刊行物１には、
「錠剤等の被収容物が投入されるポケット部が複数形成された包装用フィルム部材と、その包装用フィルムにポケット部の開口側を密封するように前記包装用フィルム部材に貼付されるカバーフィルム部材とから構成されているＰＴＰシート（いわゆるブリスタシート）であって、
ＰＴＰシート５４にはポケット部５３毎に区分けして使用単位毎に破線が形成されており、カバーフィルムの包装用フィルム貼着面側に、１つのポケット部５３に対して、１つの情報Ｗとしての曜日と時間帯とがそのポケット部５３の近傍に印刷されてなるＰＴＰシート５４。」
の発明（以下、「引用発明」という。）が記載されている。
　
（２）対比
　補正発明と引用発明とを対比すると、引用発明の「錠剤等の被収容物が投入されるポケット部が複数形成された包装用フィルム部材」「その包装用フィルムにポケット部の開口側を密封するように前記包装用フィルム部材に貼付されるカバーフィルム部材」「ＰＴＰシート（いわゆるブリスタシート）」は各々補正発明の「薬剤を収納する凸部を複数有する容器フィルム」「前記容器フィルムの凸部内に薬剤を封入するように前記容器フィルムに貼り付けられた蓋フィルム」「ブリスター包装体」に相当し、引用発明の「ＰＴＰシート５４にはポケット部５３毎に区分けして使用単位毎に破線が形成されており」と補正発明の「前記ブリスター包装体には一回に服用すべき薬剤が封入された包装体毎に区分けして使用単位毎に分割可能なミシン目が形成されており」とは共に、ブリスター包装体を「一回に服用すべき薬剤が封入された包装体毎に区分けして」いる限りにおいて一致し、また、引用発明の「１つのポケット部５３に対して、１つの情報Ｗとしての曜日と時間帯と」は補正発明の「当該薬剤に関する情報」に相当し、引用発明の「１つのポケット部５３に対して、１つの情報Ｗとしての曜日と時間帯とがそのポケット部５３の近傍に印刷されてなる」は補正発明の「使用単位毎に区分けされた領域毎に当該薬剤に関する情報が表記された」という要件を充足するから、補正発明の用語を使用して補正発明と引用発明とを対比すると、
「薬剤を収納する凸部を複数有する容器フィルム、
　前記容器フィルムの凸部内に薬剤を封入するように前記容器フィルムに貼り付けられた蓋フィルム、
を有するブリスター包装体であって、
　前記ブリスター包装体は一回に服用すべき薬剤が封入された包装体毎に区分けされており、
使用単位毎に区分けされた領域毎に当該薬剤に関する情報が表記されたブリスター包装体。」
の点で一致し、以下の点で相違する。
　
［相違点１］
　補正発明では、容器フィルムにおける「蓋フィルムが貼り付けられた面に対する反対側の面に感圧型の接着剤によって貼り付けられ、前記容器フィルムの凸部を表出させる開口を有する容器用ラベル」を備えているのに対して、引用発明では、容器用ラベルについて開示がない点、
［相違点２］
　補正発明では、蓋フィルムにおける「容器フィルムが貼り付けられた面に対する反対側の面に感圧型の接着剤によって貼り付けられ、前記蓋フィルムに対して剥離可能であり再接着可能に構成された蓋用ラベル」を備えており、使用単位毎に区分けされた領域毎に、封入された薬剤に関する情報が「蓋用ラベル」に表記され、「前記蓋用ラベルが使用単位毎に剥離可能に構成され」ているのに対して、引用発明では、蓋用ラベルについて開示がなく、曜日と時間帯とが「カバーフィルムの包装用フィルム貼着面側」に印刷される点、
［相違点３］
　補正発明では、ブリスター包装体に「使用単位毎に分割可能なミシン目が形成されて」いるのに対して、引用発明では、ＰＴＰシート５４にはポケット部５３毎に区分けして使用単位毎に破線が形成されているものの、分割可能なミシン目であるかどうか特定されていない点。
　　
（３）判断
　事案に鑑み、上記相違点２について検討する。
　封入された薬剤に関する情報を、使用単位毎に剥離可能な蓋用ラベルに表記することは、原査定の拒絶の理由、及び、審尋で引用したいずれの刊行物にも記載されていない。
　例えば、特表２００５−５２０７４７号公報に示されたシート８、９は、チャイルドレジスタンスを目的としているのみであるから、シート８、９に情報を表記することが示唆されているとはいえない。
　加えて仮に、薬剤に関する情報が使用単位毎に表記され、使用単位毎に剥離可能な蓋用ラベルが周知であったとしても、当該蓋用ラベルを再接着可能とすることまでもが、周知ないし慣用の手段であるものとはいえない。
　これに対して、補正発明では、上記相違点２を含む構成を採用することによって、
「例えば使用後の蓋ラベルをカルテ等に再貼付することが可能であるため、入院患者の投薬管理において有用である。」（段落【００７１】）
という、原査定の拒絶の理由、及び、審尋で引用したいずれの刊行物からも予期し得ない効果を奏するものと認められる。
　したがって、相違点２に係る補正発明の構成は、当業者が容易に想到できたものとはいえず、補正発明は、引用発明、及び、原査定の拒絶の理由、審尋で引用した他のいずれの刊行物に記載された技術的事項に基いても、当業者が容易に発明をすることができたとはいえない。
　また、請求項２ないし９に係る発明は、補正発明の発明特定事項を全て含むものであるから、同様に、引用発明、及び、原査定の拒絶の理由、審尋で引用した他のいずれの刊行物に記載された技術的事項に基いても、当業者が容易に発明をすることができたとはいえない。
　よって、本件補正は、特許法第１７条の２第６項において準用する同法第１２６条第７項の規定に適合する。
　
３．むすび
　本件補正は、特許法第１７条の２第３項ないし第６項の規定に適合する。
　
　
第３　本願発明
　本件補正は上記のとおり、特許法第１７条の２第３項ないし第６項の規定に適合するから、本願の請求項１ないし９に係る発明は、本件補正により補正された特許請求の範囲の請求項１ないし９に記載された事項により特定されるとおりのものである。
　そして、本願については、原査定の拒絶理由を検討してもその理由によって拒絶すべきものとすることはできない。 
　また、他に本願を拒絶すべき理由を発見しない。 　
　よって、結論のとおり審決する。